(57)【要約】      （修正有）【課題】取付ベースに後付けされるユニットケースの側面板部の幅寸法が大型化されても安定した取付け状態を得ることができるエントランスユニットの取付装置を提供する。【解決手段】袖壁５に取り付けられる取付ベース１１のベース板に受片１８を両端部に有し、その受片１８の上面先端部に係合部１９が設けられた複数の受具１６を上下方向に間隔をおいて設ける。取付ベース１１に取り付けられるユニットケース２１の正面パネル２２にハングブラケット２６と、横ずれ防止ステー２７とを設ける。横ずれ防止ステー２７を受具１６の受片１８間に嵌合してユニットケース２１の左右へのずれを防止し、ハングブラケット２６を係合部１９に係合し、下端を受片１８で支持してユニットケース２１の前後方向と下方向への移動を防止する。ユニットケース２１の上面と天井面Ｃ間の外れ止め具３８によって、ユニットケース２１の上方への移動を防止する。【選択図】図４
2015108232.tif 000002
【特許請求の範囲】
【請求項１】
玄関ドアの戸先側の袖壁に取り付けられるエントランスユニットが、取付ベースと、玄関備品を支持するユニットケースを有し、前記取付ベースを袖壁に取付け、その取付ベースにユニットケースを後付けにより取り付けるようにしたエントランスユニットの取付装置おいて、
前記取付ベースが、袖壁に取り付けられる上下方向に長い帯板状のベース板を有してなり、そのベース板に、対向一対の受片を左右両端部に有し、それぞれの受片の上面先端部に係合部が設けられた複数の帯板状受具を上下方向に間隔をおいて設け、
前記ユニットケースが、玄関備品を支持する正面パネルの外周に周枠が設けられた構成とされ、前記正面パネルの内面に、前記受片上への落とし込みにより前記係合部に係合してユニットケースが前記ベース板から離反する方向に移動するのを阻止するハングブラケットと、前記受具の対向一対の受片間に嵌合してユニットケースの左右方向へのずれ動きを阻止する横ずれ防止ステーとを、前記複数の受具のそれぞれに対応して設け、
前記袖壁に取り付けられた取付ベースの受具の一対の受片間に横ずれ防止ステーが嵌合され、前記受具上にハングブラケットが配置される状態からのユニットケースの落とし込みによりハングブラケットを係合部に係合し、前記ユニットケースの周枠上面と玄関先の天井面間に形成される間隙にユニットケースの上方への移動を阻止する外れ止め具を組み込んだことを特徴とするエントランスユニットの取付装置。
【請求項２】
前記外れ止め具が、マグネットを有し、前記ベース板の上側にユニットケースの周枠上面より上方に臨む吸着片を突設し、その吸着片に対する前記マグネットの吸着により外れ止め具の取り付けとした請求項１に記載のエントランスユニットの取付装置。
【請求項３】
前記受片の上面に設けられた係合部が突片からなる請求項１又は２に記載のエントランスユニットの取付装置。
【発明の詳細な説明】
【技術分野】
【０００１】
この発明は、玄関ドアの袖壁に設置されるエントランスユニットの取付装置に関する。
【背景技術】
【０００２】
一般に、マンション等の中、高層建築物においては、玄関ドアの戸先側の袖壁に、インターホンや新聞受け等の玄関備品が装着されたエントランスユニットが設置されている。
【０００３】
エントランスユニットとして、袖壁にねじ止めされる取付ベースと、その取付ベースに支持されるエントランスパネルとを有し、そのエントランスパネルにインターホンや新聞受け等の玄関備品を取り付けるようにしたものが従来から知られている。
【０００４】
ここで、エントランスユニットが、玄関周りの施工段階で袖壁に取り付けられるものであると、エントランスパネルが損傷される危険があり、傷がつけられた場合の補修に非常に手間が係ることになる。
【０００５】
そのような不都合を解消するため、本件出願人は、特許文献１において、袖壁に取付ベースを固定し、その取付ベースにエントランスパネルを後付けにより取り付けるようにしたエントランスユニットの取付装置を既に提案している。
【先行技術文献】
【特許文献】
【０００６】
【特許文献１】特開２００８−１９６１１５号公報
【発明の概要】
【発明が解決しようとする課題】
【０００７】
ここで、上記特許文献１に記載されたエントランスユニットの取付装置においては、袖壁にねじ止めされる取付ベースの両側の折り曲げ板のそれぞれにパネル取り付け具を取り付け、エントランスパネルの一側の側面板に設けられた折り返し片の内側先端を一方のパネル取り付け具の外側に設けられた突条に係止し、その係止部分を支点にしてエントランスパネルを回動させながら取付ベースに被せて、エントランスパネルの他側の側面板に形成された孔を他方のパネル取り付け具に設けられた突片に係合させる取り付けとしている。
【０００８】
このように、特許文献１に記載されたエントランスユニットの取付装置においては、取付ベースの両側に取り付けられた一対のパネル取り付け具に対してエントランスパネルの両側に設けられた側面板を抜止め係止する取り付けであるため、以下のような問題が生じ、安定した取付けを得る上において解決すべき点が残されている。
【０００９】
すなわち、近年では、エントランスユニットの前後方向の幅寸法を大きくして門柱に見せかけ、そのエントランスユニットと同形状の角形の柱状体を玄関ドアの戸尻側の袖壁にも設けて、高級な感じを与える取り組みがなされている。
【００１０】
この場合、エントランスパネルにおける両側の側面板の前後方向の幅寸法を大きくする必要があり、その幅寸法の大型化により、その側面板の面と直交する方向の撓み剛性が低下し、エントランスパネルの左右方向への外圧の負荷により側面板が撓み、その撓みによる変形によってパネル取り付け具に対する係合が解除する可能性が極めて大きくなり、エントランスパネルに安定した取付け状態を得ることができない。
【００１１】
この発明の課題は、取付ベースに後付けされるユニットケースの側面板部の幅寸法が大型化されたとしても安定した取付け状態を得ることができるようにしたエントランスユニットの取付装置を提供することである。
【課題を解決するための手段】
【００１２】
上記の課題を解決するため、この発明においては、玄関ドアの戸先側の袖壁に取り付けられるエントランスユニットが、取付ベースと、玄関備品を支持するユニットケースを有し、前記取付ベースを袖壁に取付け、その取付ベースにユニットケースを後付けにより取り付けるようにしたエントランスユニットの取付装置おいて、前記取付ベースが、袖壁に取り付けられる上下方向に長い帯板状のベース板を有してなり、そのベース板に、対向一対の受片を左右両端部に有し、それぞれの受片の上面先端部に係合部が設けられた複数の帯板状受具を上下方向に間隔をおいて設け、前記ユニットケースが、玄関備品を支持する正面パネルの外周に周枠が設けられた構成とされ、前記正面パネルの内面に、前記受片上への落とし込みにより前記係合部に係合してユニットケースが前記ベース板から離反する方向に移動するのを阻止するハングブラケットと、前記受具の対向一対の受片間に嵌合してユニットケースの左右方向へのずれ動きを阻止する横ずれ防止ステーとを、前記複数の受具のそれぞれに対応して設け、前記袖壁に取り付けられた取付ベースの受具の一対の受片間に横ずれ防止ステーが嵌合され、前記受具上にハングブラケットが配置される状態からのユニットケースの落とし込みによりハングブラケットを係合部に係合し、前記ユニットケースの周枠上面と玄関先の天井面間に形成される間隙にユニットケースの上方への移動を阻止する外れ止め具を組み込んだ構成を採用したのである。
【００１３】
上記の構成からなるエントランスユニットにおいて、袖壁に取り付けられた取付ベースに対するユニットケースの取付け状態では、受具の対向一対の受片によりハングブラケットが支持されてユニットケースが下方向に移動するのが防止され、ユニットケースの周枠上面と玄関先の天井面間に形成される間隙への外れ止め具の組み込みによってユニットケースが上方向に移動するのが防止される。
【００１４】
また、受片の係合部に対するハングブラケットの係合によってユニットケースは前後方向に移動するのが防止され、さらに、対向一対の受片間に対する横ずれ防止ステーの嵌合によってユニットケースは左右方向に移動するのが防止される。
【００１５】
このため、ユニットケースの周枠における側面板部の幅寸法が大型化しても、ユニットケースに安定した取付け状態を得ることができる。
【００１６】
ここで、ベース板の上側にユニットケースの周枠上面より上方に臨む吸着片を突設し、外れ止め具にマグネットを設け、そのマグネットを上記吸着片に吸着させることにより、外れ止め具の取り付けを容易とし、しかも、外れ止め具を外部から視認し難い奥まったところに取り付けることができるため、体裁のよい取付けとすることができる。
【００１７】
この発明に係るエントランスユニットの取付装置において、受片の上面に設けられた係合部は突片からなるものであってもよく、あるいは、切欠部からなるものであってもよい。
【発明の効果】
【００１８】
この発明に係るエントランスユニットの取付装置においては、上記のように、取付ベースの受具の一対の受片間に横ずれ防止ステーが嵌合され、上記受具の上側にハングブラケットが配置される状態からユニットケースを落とし込んで、ハングブラケットを係合部に係合し、ユニットケースの周枠上面と玄関先の天井面間に形成される間隙に外れ止め具を組み込むようにしたことにより、ユニットケースは上下、前後、左右にずれ動くことがなく、安定した取付け状態を得ることができる。
【図面の簡単な説明】
【００１９】
【図１】この発明に係るエントランスユニットの取付装置を示す正面図
【図２】図１のエントランスユニットの取付け部を拡大し示す正面図
【図３】エントランスユニットを形成する取付ベースとユニットケースを示す分解斜視図
【図４】図２のIV−IV線に沿った断面図
【図５】図４のV−V線に沿った断面図
【図６】図４のVI−VI線に沿った断面図
【図７】ユニットケースの落とし込み前の状態を示す断面図
【図８】図２のVIII−VIII線に沿った断面図
【図９】インターホンの取付け部を示す一部切欠正面図
【図１０】図２のX−X線に沿った断面図
【発明を実施するための形態】
【００２０】
以下、この発明の実施の形態を図面に基づいて説明する。図１に示すように、ドア枠１の出入口２を開閉する玄関ドア３は、ヒンジ４によって開閉自在に支持され、その玄関ドア３の戸先側の袖壁５にエントランスユニット１０が設けられている。
【００２１】
また、玄関ドア３の戸尻側の袖壁６には、柱状ユニット５０が設けられる。その柱状ユニット５０とエントランスユニット１０は、後述するインターホンおよび新聞受けの有無についてのみ相違して、他は同一の構成とされているため、エントランスユニット１０を以下に説明し、柱状ユニット５０についてはエントランスユニット１０と同一の部品に同一の符号を付して説明を省略する。
【００２２】
図２乃至図６に示すように、エントランスユニット１０は、取付ベース１１と、その取付ベース１１に後付けされるユニットケース２１からなる。
【００２３】
取付ベース１１は、帯状のベース板１２の両側に一対の側板１３が設けられ、上記ベース板１２の上辺中央部に吸着片１４が設けられた薄金属板の成形品からなり、上記吸着片１４の上辺からベース板１２の下辺に至る長さは、玄関先の床面Ｆから天井面Ｃまでの高さより少し短くされている。
【００２４】
取付ベース１１は、ベース板１２が袖壁５に衝合され、その袖壁５に埋設されたアンカー７にねじ込まれるビス８の締め付けによって袖壁５に固定される。そのため、ベース板１２には図３に示すように、複数のビス挿入孔１５が形成されている。
【００２５】
取付ベース１１におけるベース板１２の表面には複数の受具１６が上下方向に間隔をおいて設けられている。受具１６は帯状の取付基板１７の長さ方向の両端に対向一対の受片１８を設け、その一対の受片１８の上面における先端部に係合部１９を設けた金属板の成形品からなり、上記取付基板１７がねじ止めによる手段によりベース板１２に固定されている。
【００２６】
係合部１９として、ここでは、一辺が垂直辺とされて受片１８の前側面に延長する三角形状の突片からなるものを示したが、切欠部からなるものであってもよい。
【００２７】
また、取付ベース１１のベース板１２には、長さ方向の中央部から上側に片寄った位置に配線引出し用の窓２０が設けられている。
【００２８】
ユニットケース２１は、帯板状の正面パネル２２の周縁に周枠２３が設けられ、その周枠２３における対向一対の側面板部２４の側縁に内向きの折曲げ板２５が設けられた金属板の成形品からなる。
【００２９】
ここで、周枠２３は取付ベース１１の対向一対の側板１３の外側に少しの余裕をもって嵌合可能な大きさとされており、その嵌合状態において、正面パネル２２の内面が受具１６における受片１８の前側縁に当接し、折曲げ板２５が袖壁５に対して僅かな間隙をおいて対向配置される状態とされる。また、取付ベース１１の吸着片１４は周枠２３の上面より上方に突出する状態とされる。
【００３０】
ユニットケース２１の正面パネル２２の内面には取付ベース１１に取り付けられた複数の受具１６のそれぞれに対応してハングブラケット２６と、そのハングブラケット２６から下側に片寄った位置に横ずれ防止ステー２７とが設けられている。
【００３１】
ハングブラケット２６は、周枠２３の対向する側面板部２４間に納まる長さの帯状板からなり、その下側部には傾斜板部２６ａが設けられている。このハングブラケット２６は、受具１６の受片１８上に配置される状態からユニットケース２１を落とし込むことにより傾斜板部２６ａが係合部１９に係合し、その傾斜板部２６ａが受片１８で支持される。
【００３２】
横ずれ防止ステー２７は断面Ｌ形の型材（アングル材）からなる。この横ずれ防止ステー２７は、取付ベース１１に対するユニットケース２１の周枠２３の嵌合により対向する一対の受片１８間に嵌合されてユニットケース２１の左右方向へのずれ動きを防止するようになっている。
【００３３】
ユニットケース２１の正面パネル２２には、取付ベース１１のベース板１２に設けられた窓２０と対向する位置にインターホン取付け孔２８が形成されている。図８および図９に示すように、インターホン取付け孔２８にはインターホン２９を支持するインターホン支持板３０が嵌合されている。
【００３４】
インターホン支持板３０は、インターホン取付け孔２８の上側内面に係合可能な係合片３１を上側に有し、上記インターホン取付け孔２８の上側内面に対する係合片３１の係合によってインターホン取付け孔２８から外側にインターホン支持板３０が抜け出るのを防止している。
【００３５】
一方、ユニットケース２１における正面パネル２２の内面には、インターホン取付け孔２８の上側に位置決め板３２が取り付けられ、その位置決め板３２の下辺両端部にインターホン支持板３０をインターホン取付け孔２８に嵌合する状態で位置決めする一対の位置決め片３３が設けられている。
【００３６】
また、ユニットケース２１における正面パネル２２の内面には、インターホン取付け孔２８の下側にマグネット支持板３４が取り付けられ、そのマグネット支持板３４の上辺両端部に設けられた一対の支持片３５のそれぞれにインターホン支持板３０の下端部を吸着保持するマグネット３６が取り付けられている。
【００３７】
図２および図１０に示すように、ユニットケース２１における正面パネル２２の表側下部には新聞受け３７が設けられている。
【００３８】
図４に示すように、取付ベース１１のベース板１２の上側に設けられた吸着片１４には外れ止め具３８が取り付けられている。外れ止め具３８にはマグネット３９が設けられ、そのマグネット３９の吸着によって吸着片１４に外れ止め具３８が着脱自在に取り付けている。
【００３９】
外れ止め具３８は、ユニットケース２１の周枠２３の上面と玄関先の天井面Ｃ間に形成される間隙４０に対して抜き差し自在とされ、吸着片１４に対する取付け状態でユニットケース２１が上方に移動するのを防止して、ハングブラケット２６を係合部１９に対して係合状態に保持するようになっている。
【００４０】
実施の形態で示すエントランスユニット１０は上記の構造からなり、その設置に際しては、袖壁５に取付ベース１１を取り付け、その取付ベース１１の側板１３の外側にユニットケース２１の周枠２３を嵌合し、図７に示すように、受具１６の対向一対の受片１８間に横ずれ防止ステー２７が嵌合され、かつ、同図の鎖線で示すように、ハングブラケット２６が受具１６上に配置される状態からユニットケース２１を落とし込む。
【００４１】
ユニットケース２１の落とし込みにより、図４に示すように、ハングブラケット２６の傾斜板部２６ａが受片１８の上面先端部に設けられた係合部１９に係合し、受片１８により傾斜板部２６ａの下端が支持され、ユニットケース２１は取付ベース１１の側板１３の外側に嵌合された状態に停止保持される。
【００４２】
ユニットケース２１の停止保持後、ユニットケース２１の周枠２３の上面と天井面Ｃ間に形成された間隙４０に外れ止め具３８を挿入し、その外れ止め具３８に設けられたマグネット３９を取付ベース１１の吸着片１４に吸着して、上記吸着片１４に外れ止め具３８を取り付けることにより、エントランスユニット１０の取り付けが完了する。
【００４３】
取付ベース１１に対するユニットケース２１の取付け状態では、受具１６の対向一対の受片１８によりハングブラケット２６が支持されてユニットケース２１が下方向に移動するのが防止され、ユニットケース２１の周枠２３上面と天井面Ｃ間に形成される間隙４０への外れ止め具３８の組み込みによってユニットケース２１が上方向に移動するのが防止される。
【００４４】
また、受片１８の係合部１９に対するハングブラケット２６の傾斜板部２６ａの係合によってユニットケース２１は前後方向に移動するのが防止され、さらに、対向一対の受片１８間に対する横ずれ防止ステー２７の嵌合によってユニットケース２１は左右方向に移動するのが防止される。
【００４５】
このように、ユニットケース２１は、上下、左右、前後方向に移動するのが防止されるため、周枠２３の前後方向の幅寸法が大きなユニットケース２１であっても極めて安定した取付け状態を得ることができる。
【００４６】
実施の形態では外れ止め具３８を取付ベース１１のベース板１２の上側に設けられた吸着片１４にマグネット３９を介して取り付けるようにしたが、周枠２３の上面にマグネット３９を介して外れ止め具３８を取り付けるようにしてもよい。吸着片１４に外れ止め具３８を取り付けるようにすると、外部から視認し難い奥まったところへの取り付けであるため、体裁のよい取付けとすることができる。
【符号の説明】
【００４７】
３    玄関ドア
５    袖壁
１０  エントランスユニット
１１  取付ベース
１２  ベース板
１４  吸着片
２１  ユニットケース
２２  正面パネル
２３  周枠
２６  ハングブラケット
２７  横ずれ防止ステー
２９  インターホン（玄関備品）
３７  新聞受け（玄関備品）
３８  外れ止め具
３９  マグネット
４０  間隙
【図１】
2015108232.tif 000003
【図２】
2015108232.tif 000004
【図３】
2015108232.tif 000005
【図４】
2015108232.tif 000006
【図５】
2015108232.tif 000007
【図６】
2015108232.tif 000008
【図７】
2015108232.tif 000009
【図８】
2015108232.tif 000010
【図９】
2015108232.tif 000011
【図１０】
2015108232.tif 000012